(57)【特許請求の範囲】
【請求項１】
インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、インキ収容筒の開口した後端面に、該後端面の一部を残して側面を切り欠いた切欠部を有した２つのボールペンレフィールを、軸筒の内部を２つの空間室に分割する軸筒と一体に形成した仕切片により仕切った軸筒の各空間室に、各々のボールペンレフィールのインキ収容筒の後端面を仕切片に当接させて、各々のボールペンチップの先端が先端開口部より露出するように軸筒内に配設してなる両頭式ボールペンであって、前記各々のボールペンレフィールを、前記軸筒の両端部に着脱自在に螺着した口金と前記仕切片とで挾持して配設するとともに、各々のボールペンレフィールのインキ収容筒に設けた切欠部と軸筒の仕切片とで形成される隙間を、各々のインキ収容筒の内外を連通する各々の空気流通部とし、前記仕切片に、各々のボールペンレフィールのインキ収容筒の開口した後端を連通するインキ収容筒の内径より小径な連通孔を設けたことを特徴とする両頭式ボールペン。
【発明の詳細な説明】
【０００１】
【発明の属する技術分野】
本発明は、インキ収容筒内に剪断減粘性を有したインキと該インキの消費とともに追従するグリース状のフォロワーを充填した２つのボールペンレフィールを、１つの軸筒内に各々のボールペンチップの先端が両端開口部より露出するように配設してなる両頭式ボールペンに関する。
【０００２】
【従来の技術】
従来、１つのインキ収容筒内に、例えば色の異なった油性インキを両端側に充填し、両端開口部にボールペンチップを配設したボールペンレフィールを、軸筒内に、ボールペンチップの先端が両端開口部から露出するように配設してなる構造の両頭式ボールペンは知られている。
【０００３】
また、ボールペンとして、インキ収容筒に剪断減粘性を有したいわゆるゲルインキと呼ばれているインキを、該インキの後端にインキの消費にともないインキに追随して移動するグリース状のフォロワーを配設して、直に収容してなるものが知られている。
【０００４】
【発明が解決しようとする課題】
本発明者は、剪断減粘性を有したインキを充填した、ボールペンチップの先端が軸筒の両端開口部から露出するように配設した両頭式ボールペンにおいて、組立構造が簡単で、部材も安価に得られ、安価で量産に適した構造のものを提供することとした。検討したところ、１つのボールペンレフィールのインキ収容筒の両端側の内部に、剪断減粘性を有したインキと該インキの消費とともに追従するグリース状のフォロワーを充填することは、現実問題としての難しさがあることが判り、本発明者は、２つのボールペンレフィールの各々のインキ収容筒に剪断減粘性を有したインキとグリース状のフォロワーを充填し、その２つのボールペンレフィールを、軸筒内にチップ先端が両端開口部から露出するように収納した構造の両頭式ボールペンを提供することとし、本発明に至った。
【０００５】
【課題を解決するための手段】
本発明は、インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、インキ収容筒の開口した後端面に、該後端面の一部を残して側面を切り欠いた切欠部を有した２つのボールペンレフィールを、軸筒の内部を２つの空間室に分割する軸筒と一体に形成した仕切片により仕切った軸筒の各空間室に、各々のボールペンレフィールのインキ収容筒の後端面を仕切片に当接させて、各々のボールペンチップの先端が先端開口部より露出するように軸筒内に配設してなる両頭式ボールペンであって、前記各々のボールペンレフィールを、前記軸筒の両端部に着脱自在に螺着した口金と前記仕切片とで挾持して配設するとともに、各々のボールペンレフィールのインキ収容筒に設けた切欠部と軸筒の仕切片とで形成される隙間を、各々のインキ収容筒の内外を連通する各々の空気流通部とし、前記仕切片に、各々のボールペンレフィールのインキ収容筒の開口した後端を連通するインキ収容筒の内径より小径な連通孔を設けたことを特徴とする両頭式ボールペンである。
【０００６】
本発明においては、２つのボールペンレフィールのインキ収容筒に剪断減粘性を有したインキを充填するが、各々のインキ収容筒に充填するインキは、同一のインキであっても良いしあるいはインキ組成物が異なった異種のインキであっても良い。また、インキ収容筒の後端部に形成する各々の切欠部は、形状が同一であっても良いし異なるものであっても良い。また、インキ収容筒の先端部にボールペンチップを配設するが、インキ収容筒の先端部を小径として直にボールペンチップを挿着しても良いし、ボールペンチップをチップホルダーに挿着し、該チップホルダーをインキ収容筒の開口端部に挿着するものであっても良い。ボールペンチップの構造は、チップ先端内に回転自在に抱持したボールがスプリング等により押圧された構造のものであっても良い。
【０００７】
【発明の実施の形態】
本発明の実施の形態を図面を用いて説明する。同部材、同箇所を示すものに対しては、同符号を付してある。
図１〜図３に示す参考の両頭式ボールペン１は、２つのボールペンレフィール２、３をインキ収容筒４の開口した後端面５を互いに当接させて、軸筒６内に配設した構造としてある。
【０００８】
２つのボールペンレフィール２、３は、インキ収容筒４の先端部には、図示していないが、ボールを回転自在に抱持し、該ボールをスプリングによりチップ先端縁に押圧したボールペンチップ７がチップホルダー８を介して配設してある。インキ収容筒４内には、剪断減粘性を有したインキ９と該インキの消費とともに追従するグリース上のフォロワー１０を充填してある。
【０００９】
２つのボールペンレフィール２、３のインキ収容筒４の開口した後端面５には、該後端面５の一部を残すように側面を切り欠いた切欠部１１を設けてある。２つのボールペンレフィール２、３を互いの後端面５を当接させることにより、切欠部１１により形成される隙間を、各々のボールペンレフィール２、３のインキ収容筒４の内外を連通する空気流通部１２としてある。図１及び図２においては、各々のボールペンレフィール２、３に設けた切欠部１１が対向するように２つのボールペンレフィール２、３を配設してあり、１つの空気流通部１２として形成されているが、位置が相違すれば２つのボールペンレフィール２、３に各々の空気流通部１２が２つ形成されることになる。
【００１０】
前述したように、２つのボールペンレフィール２、３を、インキ収容筒４の開口した後端面５を互いに当接させて軸筒６内に配設してあり、２つのボールペンレフィール２、３の各々のボールペンチップ７の先端が、軸筒６の両端開口部から露出するように収納してある。ボールペンレフィール２、３が軸筒６内を移動しないように、ボールペンレフィール２、３を、各々のチップホルダー８の鍔部１３を両端開口部に螺着した口金１４と軸筒６の先端で挾持して固定してある。軸筒６の略中央部の外周面には、軸筒６内の空気を外に逃がすための空気逃げ孔１５を設けてあり、ボールペンレフィール２、３のインキ収容筒４の内部は、各空気流通部１２〜軸筒６内部〜空気逃げ孔１５の経路で軸筒６の外部と連通している。
【００１１】
図４および図５は、請求項１に係る発明の実施の形態を示す両頭式ボールペン２１で、ボールペンレフィールは、前記２つのボールペンレフィール２、３と同様の構造としてある。
【００１２】
軸筒２２は、略中央部に内部を２つの空間室２３、２４に分割する軸筒２２と一体に形成した仕切片２５を設けてある。各々のボールペンレフィール２、３は、インキ収容筒４の後端面５を仕切片２５の両面に各々当接させて、前記実施の形態の場合と同様にして軸筒２２内に配設してある。各々のボールペンレフィール２、３が空間室２３、２４を移動しないように、前記実施の形態の場合と同様に、ボールペンレフィール２、３を、チップホルダー８の鍔部１３を両端開口部に螺着した口金１４と軸筒６で挾持して固定してある。
【００１３】
各々のボールペンレフィール２、３のインキ収容筒４に設けた切欠部１１と軸筒の仕切片２５とで構成される隙間を、各々のインキ収容筒４の内外を連通する各々の空気流通部２６としてある。
【００１４】
本実施の形態においては、各々の空間室２３、２４内が加圧や減圧により各々のボールペンレフィール２、３に悪影響がでないように、仕切片２５の中央部に、各々のボールペンレフィール２、３のインキ収容筒４の開口した後端を連通するインキ収容筒４の内径より小径な連通孔２７を設けてある。
【００１５】
空間室２４側の軸筒２２の外周面には、軸筒２２内の空気を外に逃がすための空気逃げ孔２８を設けてある。ボールペンレフィール２のインキ収容筒４の内部は、空気流通部２６〜連通孔２７〜空気流通部２６（ボールペンレフィール３側）〜空間室２４〜空気逃げ孔２８の経路で、または連通孔２７〜（インキ収容筒４内部（ボールペンレフィール３側））〜空気流通部２６（ボールペンレフィール３側）〜空間室２４〜空気逃げ孔２８の経路で軸筒２２の外部と連通している。ボールペンレフィール３のインキ収容筒４の内部は、空気流通部２６〜空間室２４〜空気逃げ孔２８の経路で軸筒２２の外部と連通している。
【００１６】
本発明に係る実施の形態において、キャップについては図示・説明を省略してあるが、キャップを有さない構造の両頭式ボールペンということではない。軸筒の両端から露出したボールペンチップの先端部を被覆するために、キャップを装着するものである。
【００１７】
本発明の実施の形態において、2つのボールペンレフィール２、３に配設されたボールペンチップ６のボールの外径は、例えば一方のボールペンレフィール２においては０．５ｍｍとし、他方のボールペンレフィール３においては１．０ｍｍというように変えてもよい。ボールの外径を異ならせることにより、一本で２種類の筆跡幅が得られる両頭式ボールペンとなる。また、一方のボールペンレフィール２と他方のボールペンレフィール３のインキ収容筒４に充填したインキの色を異ならせることにより、一本で２色の筆跡が得られる両頭式ボールペンとなる。
【００１８】
【発明の効果】
本発明のインキ収容筒内に剪断減粘性インキとフォロワーを充填した両頭式ボールペンは、前述したような構造なので、いたって簡単な構造であり、また、１本のボールペンレフィールのインキ収容筒の前後端に剪断減粘性を有したインキおよびフォロワーを充填する構造のものではないので、製造上の困難や難しさがなく、各部材の構造や組立もいたって簡単であり、製造コストの面で安価に製造でき、低価格品の両頭式ボールペンを提供できるという利点がある。
【図面の簡単な説明】
【図１】  参考の両頭式ボールペンの横断面図である。
【図２】  図１における、要部の拡大図である。
【図３】  図１におけるボールペンレフィールの、要部の拡大斜視図である。
【図４】  本発明に係る実施の形態を示す、両頭式ボールペンの横断面図である。
【図５】  図４における、要部の拡大斜視図である。
【符号の説名】
１  両頭式ボールペン
２  ボ―ルペンレフィール
３  ボールペンレフィール
４  インキ収容筒
５  後端面
６  軸筒
７ボールペンチップ
９  インキ
１０  フォロワー
１１  切欠部
１２  空気流通部
２１  両頭式ボールペン
２２  軸筒
２３  空間室
２４  空間室
２５  仕切片
２６  空気流通部
２７  連通孔
【図１】
0004338843.tif 000002
【図２】
0004338843.tif 000003
【図３】
0004338843.tif 000004
【図４】
0004338843.tif 000005
【図５】
0004338843.tif 000006